(57)【要約】【課題】密封性がよく、高級感もあるボトル用キャップを提供する。【解決手段】捻回操作によってボトル型容器４の口部に着脱可能に装着され、その開口部４ａを封止するボトル用キャップ１において、キャップ本体２と、該キャップ本体の内底面２ａに貼着一体とされたシール部材３とよりなり、該シール部材は、接液面側に配置される樹脂フィルム層３ｃと、非接液面側に配置される薄板状のコルクディスク層３ａと、これらを接着一体とする接着フィルム層とよりなる積層体３ｂによって構成されていることを特徴とする。【選択図】図１
2008074425.tif 000002
【特許請求の範囲】
【請求項１】
捻回操作によってボトル型容器の口部に着脱可能に装着され、その開口部を封止するボトル用キャップにおいて、
キャップ本体と、該キャップ本体の内底面に貼着一体とされたシール部材とよりなり、該シール部材は、接液面側に配置される樹脂フィルム層と、非接液面側に配置される薄板状のコルクディスク層と、これらを接着一体とする接着フィルム層とよりなる積層体によって構成されていることを特徴とするボトル用キャップ。
【請求項２】
請求項１に記載のボトル用キャップにおいて、
前記樹脂フィルム層は、ポリエチレンテレフタレートとポリエチレンとの積層体からなり、接液面側にポリエチレンテレフタレートの層が配置されることを特徴とするボトル用キャップ。
【請求項３】
請求項１又は請求項２に記載のボトル用キャップにおいて、
前記コルクディスク層の非接液面側には、更に接着フィルム層を介して、樹脂フィルム層が積層されていることを特徴とするボトル用キャップ。
【請求項４】
請求項１乃至請求項３のいずれかに記載のボトル用キャップにおいて、
前記キャップ本体の少なくとも天面部は、透明な樹脂材で形成されていることを特徴とするボトル用キャップ。
【発明の詳細な説明】
【技術分野】
【０００１】
本発明は、捻回操作によってボトル型容器の口部に着脱可能に装着され、その開口部を封止するボトル用キャップに関し、主にアルコール飲料のボトル型容器を密封するために用いられるボトル用キャップに関する。
【背景技術】
【０００２】
従来より、アルコール飲料のボトル型容器のキャップとしては、コルク栓やメタルキャップ、プラスチックキャップ等が知られており、密封性を高めるために各種キャップの内底面にシール部材を設けたり、コルク栓の場合は、接液面を樹脂フィルム等で覆ったもの等がある。
【０００３】
下記特許文献１に記載の王冠は、王冠シェルの裏面にパッキング材が取り付けられており、該パッキング材は、王冠シェルの裏面の酸化を促進させる機能をもたせることにより、容器内の酸素を効果的に吸収除去して内容液の酸化による品質低下を防止することができるとされている。
下記特許文献２に記載の容器用栓は、コルク等からなるコアの接液面及び接液面に連なる外周面が、ポリエチレン系樹脂を主成分とする合成樹脂製皮膜により被覆されて形成されているものである。
これによれば、上記コアからの悪影響に加えて、容器外からの臭いの浸入及び内容液の香味の吸収着による悪影響を防止することができるとされている。
【特許文献１】実公平７−３２４５０号公報
【特許文献２】国際公開第２００４／０２０３００号
【発明の開示】
【発明が解決しようとする課題】
【０００４】
ところで近年においては、開栓に手間のかからないスクリューキャップやステルバンキャップ等が焼酎やワイン、ウイスキー等のアルコール飲料のボトル型容器のキャップとしてよく用いられるようになっており、該キャップの内底面には、ポリプロピレンやポリエチレンテレフタレート等の樹脂フィルムがシール材として貼着一体とされているものがある。
しかしながら、上記のものをシール材とした場合、閉栓により圧縮されると永久歪が生じ、開栓した後は、密封性が低下するという問題があった。
また上述のような様々な素材でなるキャップの中において、天然素材を使ったコルク栓の高級感、素材感は根強い人気があり、更にコルクが持つ弾性力はキャップの内底面に貼着するシール材として好適とされながらも、コルク臭の主要原因物質であるとされるＴＣＡ（トリクロロアニソール）が内容液に与える悪影響が問題となっていた。
【０００５】
本発明は、上記実情に鑑みてなされたものであり、密封性がよく、高級感もあるボトル用キャップを提供することを目的とする。
【課題を解決するための手段】
【０００６】
本発明に係るボトル用キャップは、捻回操作によってボトル型容器の口部に着脱可能に装着され、その開口部を封止するものであって、キャップ本体と、該キャップ本体の内底面に貼着一体とされたシール部材とよりなり、該シール部材は、接液面側に配置される樹脂フィルム層と、非接液面側に配置される薄板状のコルクディスク層と、これらを接着一体とする接着フィルム層とよりなる積層体によって構成されていることを特徴とする。
【０００７】
また本発明に係るボトル用キャップの樹脂フィルム層は、ポリエチレンテレフタレートとポリエチレンとの積層体からなり、接液面側にポリエチレンテレフタレートの層が配置されるものとすることができ、コルクディスク層の非接液面側には、更に接着フィルム層を介して、樹脂フィルム層が積層されているものとすることができる。
そして、本発明に係るキャップ本体の少なくとも天面部は、透明な樹脂材で形成されているものとすることができる。
【発明の効果】
【０００８】
請求項１に係るボトル用キャップによれば、シール部材は、接液面側に配置される樹脂フィルム層と、非接液面側に配置される薄板状のコルクディスク層と、これらを接着一体とする接着フィルム層とよりなる積層体によって構成されているため、非接液面側に配置されるコルクディスク層の適度な弾力性、柔軟性によって、シール部材に永久歪が生じることなく、ボトル用キャップによる密封性を向上させることができる。また、コルクディスク層は、樹脂フィルム層によって、被覆された状態となっており、内容液（例えば、焼酎、ワイン、ウイスキー等のアルコール飲料）が直接コルクディスク層に触れることがないので、内容液にコルク臭が移ることがない。
更にボトル用キャップは、ボトル型容器の口部に螺合され、その開口部を封止するものであるので、開栓、閉栓がしやすい。
【０００９】
請求項２に係るボトル用キャップによれば、樹脂フィルム層は、耐熱性、ガスバリア性等を有するポリエチレンテレフタレートと耐水性等を有するポリエチレンとの積層体からなるので、これらの特性の相乗効果によって、接液面側に配置される樹脂フィルム層として好適なものとすることができる。また、バリア性の高いポリエチレンテレフタレートの層が接液面側に配置されているので、シール部材として、コルクディスク層を備えていても、ＴＣＡが内容液に与えるとされている悪影響を防止することができる。
【００１０】
請求項３に係るボトル用キャップによれば、コルクディスク層の非接液面側には、更に接着フィルム層を介して、樹脂フィルム層が積層されているので、より効果的にコルクディスク層に内容液が行き渡ることを阻止し、コルクディスク層の適度な弾力性、柔軟性が保たれ、長期に亘って高い密封性を維持することができる。
【００１１】
請求項４に係るボトル用キャップによれば、キャップ本体の少なくとも天面部は、透明な樹脂材で形成されているので、コルクディスク層が視認でき、上記効果に加えて、高級感のあるボトル用キャップとすることができる。
【発明を実施するための最良の形態】
【００１２】
以下に、本発明の実施の形態を図面とともに、説明する。図１（ａ）は本発明のボトル用キャップの使用状態を示す部分断面図、図１（ｂ）は本発明のシール部材の部分拡大断面図、図２はシール部材の別の例であり、図１（ｂ）と同様図、図３は本発明のボトル用キャップの使用状態の一例を示す部分斜視図である。
本発明のボトル用キャップは、捻回操作によってボトル型容器の開口部を封止するものであり、キャップとしては、例えば、スクリューキャップ、ステルバンキャップ、ＰＰキャップ、ラグキャップ等に適用可能である。以下に、説明する実施形態においては、本発明をスクリューキャップに適用した例について説明する。
【実施例１】
【００１３】
図１（ａ）に示すように、本発明のスクリューキャップ１は、捻回操作によってボトル型容器４の口部に着脱可能に装着され、その開口部４ａを封止するものであり、スクリューキャップ１は、スクリューキャップ本体２と、該スクリューキャップ本体２の内底面２ａに貼着一体とされたシール部材３とよりなる。
スクリューキャップ本体２には、螺旋状の雄溝２ｂが形成されており、これに対応してボトル型容器４の口部には、雌溝４ｂが形成され、捻回操作によってスクリューキャップ１が開閉できるようになっている。
シール部材３は、図１（ｂ）に示すように、接液面側に配置される樹脂フィルム層３ｃと、非接液面側に配置される薄板状のコルクディスク層３ａと、これらを接着一体とする接着フィルム層３ｂとよりなる積層体によって構成されている。ここでは、シール部材３の樹脂フィルム層３ｃが、２層でなるものを示しており、接液面側にポリエチレンテレフタレート（ＰＥＴ）の層３ｃｂを配し、ポリエチレンテレフタレートの層３ｃｂと接着フィルム層３ｂの間には、ポリエチレン（ＰＥ）の層３ｃａが配されている。そして樹脂フィルム３ｃとコルクディスク層３ａとの間の中間層には、接着フィルム層３ｂを介在させて、接着一体とした３層構造となっている。
【００１４】
非接液面側に配置され、スクリューキャップ本体２の内底面２ａに貼着されるコルクディスク層３ａは、スクリューキャップ本体２の内底面２ａの形状に応じて形成された薄板状のコルクからなる。該コルクは、天然コルクをそのまま薄板状（ディスク状）に抜き形成するか、或いは天然コルクをコルク粒に粉砕して圧搾成型する等して形成される。
【００１５】
接液面側に配置される２層の樹脂フィルム層３ｃもスクリューキャップ本体２の内底面２ａの形状に応じて形成されている。樹脂フィルム層３ｃは、耐熱性、ガスバリア性等を有するポリエチレンテレフタレートの層３ｃｂと耐水性等を有するポリエチレンの層３ｃａとの積層体からなるので、これらの特性の相乗効果によって、接液面側に配置される樹脂フィルム層３ｃとして好適なものとすることができる。また、バリア性の高いポリエチレンテレフタレートの層３ｃｂが接液面側に配置されているので、シール部材３として、コルクディスク層３ａを備えていても、ＴＣＡ（トリクロロアニソール）が内容液に与えるとされている悪影響を阻止することができる。
尚、樹脂フィルム層３ｃの構成は、上記に限定されず、ポリプロピレン製（例えばＰＰ、ＯＰＰ、ＣＰＰ、ＯＰＰとＣＰＰを貼り合わせたものでもよい）、ナイロン製の樹脂フィルムとすることもできる。
【００１６】
またシール部材３の積層体の構成は、図１の例に限定されるものではなく、図２に示すように多層構造としたものでもよい。
図２に示すシール部材３は、コルクディスク層３ａの非接液面側に、更に接着フィルム層３ｂを介して、樹脂フィルム層３ｄが積層されているものである。
この例の樹脂フィルム層３ｄも上述の樹脂フィルム３ｃと同様に、ポリエチレンテレフタレートの層３ｄａとポリエチレンの層３ｄｂとで構成されているが、これに限定されるものではなく、いずれか一層としてもよいし、ポリプロピレン製、ナイロン製等とすることもできる。
これによれば、より一層、コルクディスク層に内容液が行き渡ることがなく、コルクディスク層の適度な弾力性、柔軟性が保たれ、長期に亘って高い密封性を維持することができる。
【００１７】
コルクディスク層３ａ及び樹脂フィルム層３ｃを圧着し接着する接着フィルム層３ｂとしては、ポリエチレン系、ポリアミド系、ポリエステル系、ポリウレタン系等の樹脂ベースとした接着フィルムが挙げられる。
尚、樹脂フィルム層３ｃが多層構造でなる場合には、樹脂フィルム同士が、上述のような接着フィルムで接着されることは言うまでもない。
【００１８】
これによれば、非接液面側に配置されるコルクディスク層３ａの適度な弾力性、柔軟性によって、スクリューキャップ１による密封性を向上させることができる。即ち、コルクディスク層３ａを構成するコルクには、締め付け力が加わると、圧縮されながらも、弾性反力が働くので、スクリューキャップ１のシール部材３として用いれば持続的な密封性を高めることができる。一方、コルクには、締め付け力が無くなると、ほぼ元の状態に復元する復元弾力があるので、スクリューキャップ１が開栓されれば、コルクは元に近い形状となり、シール部材３として、樹脂フィルムのみを用いた場合のように永久歪が生じるという問題を解消することができる。
また、コルクディスク層３ａは、樹脂フィルム層３ｃによって、被覆された状態となっているため、内容液（例えば、焼酎、ワイン、ウイスキー等のアルコール飲料）が直接コルクディスク層３ａに触れることがない。よって、内容液にコルク臭が移ることがなく、内容液がＴＣＡ等による悪影響を受けることもない。
【００１９】
ここでスクリューキャップ本体２の材質は特に限定されるものではないが、ブリキ、アルミニウム、ティンフリースチール、プラスチック等で形成され、例えば、全体を透明な樹脂材で形成されたものとすれば、図３に示すようにシール部材３としてスクリューキャップ本体２に貼着されたコルクディスク層３ａが外側から見えるため、高級感のあるスクリューキャップ１を構成することができる。上記樹脂材としては、例えばアクリル樹脂、ポリスチレン、ポリカーボネート、ＡＢＳ樹脂、ポリプロピレン（ＰＰ）、ＡＳ樹脂とすることができる。
これによれば、密封性に優れたスクリューキャップ１でありながら、開栓、閉栓がしやすく、また高級感を醸し出すものであるので、高級志向のアルコール飲料のスクリューキャップ１として用いれば、購買意欲の向上に貢献することができる。
【００２０】
尚、本発明は、上述のようにスクリューキャップ１以外のキャップにも適用可能であり、要は捻回操作によってボトル型容器４の口部に着脱可能に装着されるものであればよい。またスクリューキャップ１の形状等は図例に限られず、ボトル型容器４の内容液としては、主にアルコール飲料であることを述べているが、これに限定されず、ジュース等の飲料でもよい。更にボトル型容器の内容物は、飲料の他、食品や化粧品等、あらゆるものを密閉する容器に用いられるボトル用キャップ１に適用可能であることは言うまでもない。
【図面の簡単な説明】
【００２１】
【図１】（ａ）は本発明のボトル用キャップの使用状態を示す部分断面図、（ｂ）は本発明のシール部材の部分拡大断面図である。
【図２】本発明のシール部材の別の例であり図１（ｂ）と同様図である。
【図３】ボトル用キャップの使用状態の一例を示す部分斜視図である。
【符号の説明】
【００２２】
１        スクリューキャップ（ボトル用キャップ）
１ａ      天面部
２        スクリューキャップ本体（キャップ本体）
２ａ      内底面
３        シール部材
３ａ      コルクディスク層
３ｂ      接着フィルム層
３ｃ      樹脂フィルム層
４        ボトル型容器
４ａ      開口部
【図１】
2008074425.tif 000003
【図２】
2008074425.tif 000004
【図３】
2008074425.tif 000005